【誤訳訂正書】
【提出日】平成21年6月29日(2009.6.29)
【誤訳訂正１】
【訂正対象書類名】特許請求の範囲
【訂正対象項目名】全文
【訂正方法】変更
【訂正の内容】
【特許請求の範囲】
【請求項１】
ユーザに情報を配信する方法であって、
携帯ディスプレイと関連したデータ処理デバイスをユーザに装備するステップと、
ユーザの所在地、加工物識別子、作業所識別子、およびユーザ識別子のうち少なくとも１つに基づいて、ユーザに関連した特定の状況を判定するステップと、
前記判定した特定の状況に基づいて、前記携帯ディスプレイ上でユーザに情報を自動的に表示するステップと、
を備えた、方法。
【請求項２】
請求項１記載の方法において、前記判定するステップは、ユーザに関連した所在地データに基づいて、前記特定の状況を判定することから成り、前記表示するステップは、前記所在地データに基づいて情報パッケージを表示することを含む、方法。
【請求項３】
請求項１記載の方法において、前記判定するステップは、ユーザの所在地データおよびユーザと関連した加工物に基づいて前記特定の状況を判定することから成り、前記表示するステップは、前記所在地データおよび前記加工物識別子に基づいて情報パッケージを表示することを含む、方法。
【請求項４】
請求項１記載の方法において、前記判定するステップは、ユーザのユーザ識別子およびユーザと関連した加工物識別子を判定することを含み、前記表示するステップは、前記ユーザ識別子および前記加工物識別子に基づいて情報パッケージを表示することを含む、方法。
【請求項５】
請求項１記載の方法において、前記判定するステップは、前記ユーザの所在地と関連した所在地データ、ユーザのユーザ識別子、およびユーザに関連した加工物識別子を判定することを含み、前記表示するステップは、前記所在地データ、前記加工物識別子、および前記ユーザ識別子に基づいて情報パッケージを表示することを含む、方法。
【請求項６】
請求項１記載の方法において、前記表示するステップは、音声認識プロセスによってメニューを取り決めるために、限定数の口頭コマンドに関連したメニューを表示する、方法。
【請求項７】
請求項１記載の方法において、前記表示するステップは、限定数の単語コマンドを受け入れる準備ができてきる準備完了状態でアプリケーション・プログラムを表示する、方法。
【請求項８】
請求項１記載の方法において、表示する情報パッケージは、前記加工物識別子が関連した加工物の製造、組立、分解、調査、および検査のうち少なくとも１つに関係する一連のタスクを表示する、方法。
【請求項９】
請求項１記載の方法であって、更に、作業所におけるユーザの所在を検出するステップと、対応する作業所識別子に対して、ユーザの所在を示すステータス・メッセージを発生するステップとを備えた、方法。
【請求項１０】
請求項１記載の方法であって、更に、ワイヤレス・インターフェースを通じて前記データ処理デバイスおよび前記ディスプレイの間で通信を行うステップを備えており、前記ディスプレイが、バイザ、めがね、およびヘッドセットのうち少なくとも１つに一体化された、方法。
【請求項１１】
ユーザに情報を配信する方法であって、
装着可能なディスプレイと関連した携帯データ処理デバイスをユーザに装備するステップと、
ユーザの特定の所在地を判定するステップと、
ユーザと関連した加工物を識別するステップと、
前記識別した加工物および前記ユーザの所在地のうち少なくとも１つに基づいて、ユーザに情報を自動的に表示するステップと、
を備えた、方法。
【請求項１２】
請求項１１記載の方法において、ユーザの特定の所在地を判定するステップは、ユーザと関連した特定の作業所を判定することを含む、方法。
【請求項１３】
請求項１１記載の方法であって、更に、前記表示する情報として設けられるメニューを誘導するためにデータ・コマンドを入力するステップを備えた、方法。
【請求項１４】
請求項１１記載の方法において、前記所在地は、前記加工物を製品として製造するための組立ラインに沿った特定の作業所を含む、方法。
【請求項１５】
請求項１１記載の方法において、ユーザはサービス技師であり、前記送信する情報は、加工物としての車両の特定の型および製作に特有の修理情報を含む、方法。
【請求項１６】
ユーザに情報を配信するシステムであって、
ディスプレイと関連した携帯データ処理デバイスと、
ユーザの特定の所在地を判定する場所判定受信機と、
前記加工物に関連したタグを読み取ることによって、ユーザと関連した加工物を識別するリーダと、
前記識別した加工物および前記ユーザの所在地のうち少なくとも１つに基づいて、情報をユーザに自動的に表示する送信機と、
を備えた、システム。
【請求項１７】
請求項１６記載のシステムにおいて、前記ディスプレイは、めがね、バイザ、およびヘッドセットのうち少なくとも１つに一体化した装着可能なディスプレイを含む、システム。
【請求項１８】
請求項１６記載のシステムであって、更に、データベース、参照表、ファイル、またはその他のデータ構造を参照する状況管理部を備えており、ユーザの特定の所在地は、ユーザと関連した対応する特定の作業所と関連付けられた、システム。
【請求項１９】
請求項１６記載のシステムであって、更に、前記送信した情報と関連した限定数の単語を認識するように調整した音声認識モジュールを備えた、システム。
【請求項２０】
ユーザに情報を配信するシステムであって、
ディスプレイと関連した携帯データ処理デバイスと、
特定の作業所におけるユーザの所在に関するステータス・メッセージを受信する受信機と、
前記加工物に関連したタグを読み取ることによって、ユーザと関連した加工物を識別するリーダと、
前記識別した加工物および前記ステータス情報のうち少なくとも１つに基づいて、ユーザに情報を自動的に表示する送信機と、
を備えた、システム。
【請求項２１】
請求項２０記載のシステムにおいて、前記ディスプレイは、めがね、バイザ、およびヘッドセットのうち少なくとも１つに一体化した装着可能なディスプレイを含む、システム。
【請求項２２】
請求項２０記載のシステムであって、更に、前記送信した情報と関連した限定数の単語を認識するように調整した音声認識モジュールを備えた、システム。
【誤訳訂正２】
【訂正対象書類名】明細書
【訂正対象項目名】０００４
【訂正方法】変更
【訂正の内容】
【０００４】
ユーザ（例えば、作業員）に情報を配信するシステムおよび方法は、携帯ディスプレイと関連するデータ処理デバイスをユーザに装備することを含む。ユーザの特定の所在地または状況(context)を判断する。ディスプレイは、使用場所または判断した状況の内少なくとも１つに基づいて、情報をユーザに自動的に表示する。
【誤訳訂正３】
【訂正対象書類名】明細書
【訂正対象項目名】０００５
【訂正方法】変更
【訂正の内容】
【０００５】
図１は、ユーザ（例えば、作業員）に情報を配信するシステム１１のブロック図である。システム１１は、携帯データ処理デバイス１０を備えている。携帯データ処理デバイス１０は、加工物(workpiece)３４に関連するタグ３６（例えば、無線周波数識別タグ、バー・コード、または光学タグ）を読み取ることができる。作業員検出システム４２と関連する送信機４４が、ステータス・メッセージ（例えば、場所データ）を携帯データ処理デバイス１０に送信することができる。
【誤訳訂正４】
【訂正対象書類名】明細書
【訂正対象項目名】０００９
【訂正方法】変更
【訂正の内容】
【０００９】
状況管理部１４は、以下の内１つ以上に基づいて、作業所についてユーザに関係または件連がある情報パッケージを検索すること、または（ディスプレイ２４上に）表示し易くすることができる。（１）加工物３４に関連する加工物識別子（例えば、タグ識別子）、（２）ユーザまたは作業員に関連するユーザ識別子、（３）携帯データ処理デバイス１０または同様のデバイスに関連するデバイス識別子、（４）特定のユーザが位置する特定の作業所、（５）ユーザ場所データ（例えば、ユーザの座標）、（６）作業識別子または遂行すべきタスク全体、（７）作業所に加工物が到着した時刻、および（８）加工物の作業所における期間。以上の項目のいずれでも、入力データとして集合化することができ、それを対応する出力データとリンクまた関連付ける。ここで、出力データは、入力データに対応するそれぞれの情報パッケージを備えている。基準入力データまたは出力データを、データ記憶デバイス３１におけるレコード、ファイル、またはその他のデータ構造として格納することもできる。
【誤訳訂正５】
【訂正対象書類名】明細書
【訂正対象項目名】００１２
【訂正方法】変更
【訂正の内容】
【００１２】
一構成では、ユーザが携帯データ処理デバイス１０にログオンするか、または対応するデバイス識別子を有する携帯データ処理デバイス１０を割り当てられる。デバイス識別子は、携帯データ処理デバイス１０に実装されているハードウェアまたはソフトウェアのプロファイル、あるいは携帯データ処理デバイス１０に関連するその他の能力または技術的制約と関連付けることができる。例えば、技術的制約には、とりわけ、プロセッサの仕様、プロセッサのスループット、ディスプレイの解像度、ディスプレイのサイズ、オペレーティング・システム、オペレーティング・システムのバージョン、ロードしたアプリケーション・プログラム、およびアプリケーション・プログラムのバージョンを含むことができる。出力データとして表示する情報パッケージをフィルタ処理すること、あるいはデバイス識別子またはその技術的制約に合わせて用意することもできる。
【誤訳訂正６】
【訂正対象書類名】明細書
【訂正対象項目名】００１４
【訂正方法】変更
【訂正の内容】
【００１４】
一旦情報パッケージをディスプレイ２４上でユーザに呈示したなら、オーディオ・インターフェース２８を通じて、ユーザは追加の情報を入力すること、あるいはメニューまたはユーザ・インターフェース（ディスプレイ２４上に呈示されている）をナビゲートすることができる。情報パッケージは、例えば、Windows  系オペレーティング・システム上で実行可能なアプリケーションにおいてコマンドを誘起することに関連させることもできる。データ・プロセッサ１２は、表示管理、画面管理（例えば、表示モード）、データ選択、メニューの活性化、およびデータ入力(entry or input)をサポートする。オーディオ・インターフェース２８は、マイクロフォン３０およびスピーカ３２を備えている。利点をあげると、音声認識モジュール１６は、声音認識コマンドの信頼性を高めることができ、以下の内の１つ以上にコマンドを限定することによって改良することができる。（１）状況と一致する単語またはコマンドに限定したリスト、あるいは（２）情報パッケージと関連のある、限定数のメニュー選択肢または選択選択肢(selection choices)。音声認識モジュール１６は、単語リストの選択のための広いパターンまたコマンド数の限定を許容することによって、解釈における誤りや誤解を低減する。このように、携帯データ処理システムは、キーボードまたはキーパッドに手が届き難い、あるいはキーボードまたはキーボードに入力し辛いような、ユーザの携帯または移動体環境に非常に適している。
【誤訳訂正７】
【訂正対象書類名】明細書
【訂正対象項目名】００１５
【訂正方法】変更
【訂正の内容】
【００１５】
前述のことにも拘わらず、ユーザには「はい」、「いいえ」、「入力」、「矢印」ボタン、あるいはその他のコマンドを設けて、音声認識が仕様できない五月蝿い環境においてメニューをナビゲートする(navigate)または情報を入力し、音声認識能力を高めたり、あるいはデータ処理デバイスの音声コマンドに対する誤解釈または混乱から復元させることもできる。
【誤訳訂正８】
【訂正対象書類名】明細書
【訂正対象項目名】００１６
【訂正方法】変更
【訂正の内容】
【００１６】
作業区域にはいずれの数の作業所があってもよいが、図１の作業区域は第１作業所３８および第２作業所４０を備えている。各作業所には、作業者検出システム４２が関連する。作業所システムを送信機４４と結合して、携帯データ処理デバイス１０の受信機２０と通信する。一例では、作業所は、組立ライン内にあるワークステーションであり、ユーザが特定の作業所にいるか、組立ラインに沿って特定の作業所に移動すると、データ処理デバイス１０は、その作業所の動作に関する情報を表示する。情報の表示は、保管管理部によって制限し、許可されたユーザまたは許可されたデバイス識別子へのアクセスを制限してもよい。
【誤訳訂正９】
【訂正対象書類名】明細書
【訂正対象項目名】００２０
【訂正方法】変更
【訂正の内容】
【００２０】
図３において、データ処理デバイス２１０は、特定の情報パッケージをディスプレイ１２４上に表示する。特定の情報パッケージは、以下の内の１つ以上に対応する。（１）加工物３４に関連する加工物識別子（例えば、タグ識別子）、（２）ユーザまたは作業員に関連するユーザ識別子、（３）携帯データ処理デバイス１０または同様のデバイスに関連するデバイス識別子、（４）特定のユーザが位置する特定の作業所、（５）ユーザ場所データ（例えば、ユーザの座標）、（６）作業識別子または遂行すべきタスク全体、（７）作業所に加工物が到着した時刻、および（８）加工物の作業所における期間。情報パッケージは、例えば、ユーザに呈示する加工物３４に関する情報、特定の作業所において遂行するタスクに関する情報、特定の作業所において遂行するタスクのメニュー、または特定の加工物３４および作業所に基づくタスクのメニューを含むことができる。
【誤訳訂正１０】
【訂正対象書類名】明細書
【訂正対象項目名】００２８
【訂正方法】変更
【訂正の内容】
【００２８】
データ処理デバイス２１０は、通信インターフェース１８を通じてデータベースまたはその他の情報にアクセスするために、ローカル・エリア・ネットワーク（ＲＡＮ）、ワイド・エリア・ネットワーク（ＷＡＮ）、インターネット、ワイヤレス・ネットワーク、またはその他のネットワークに相互接続することもできる。例えば、加工物識別子にバー・コード識別子、均一製品コード（ＵＰＣ）、無線周波数識別タグ、またはその他の製品情報が関連する場合、通信インターフェース１８はこのような情報の収集または問い合わせに対応することができる。
【誤訳訂正１１】
【訂正対象書類名】明細書
【訂正対象項目名】００３１
【訂正方法】変更
【訂正の内容】
【００３１】
ステップＳ１００において、携帯ディスプレイ（例えば、ヘッドアップ装着可能ディスプレイ２４またはディスプレイ・ユニット１２４）と関連するデータ処理デバイス（１０、１１０、２１０または３１０）をユーザに装備する。データ処理デバイス（１０、１１０）は、ベルト、防止、ハンドセット、ストラップ、リュックサック等の上または中に装着することができる。いずれのディスプレイを用いてもよいが、一構成では、ディスプレイ２４またはディスプレイ・ユニット１２４を１対のめがねの１間以上のレンズ、ゴーグル、バイザ、またはヘッドセットの中に一体化するとよい。更に、データ処理デバイス（１０または１１０）またはディスプレイ・ユニット１２４をスピーカ３２（例えば、耳内スピーカ３２）およびマイクロフォン３０と関連させてもよい。
【誤訳訂正１２】
【訂正対象書類名】明細書
【訂正対象項目名】００３２
【訂正方法】変更
【訂正の内容】
【００３２】
ステップＳ１０２において、データ処理デバイス（１０、１１０、２１０または３１０）または状況管理部１４は、ユーザの所在地、加工物識別子、作業所識別子、デバイス識別子、およびユーザ識別子の内少なくとも１つに基づいて、ユーザに関連する特定の状況を判断する。ステップＳ１０２は、種々の代替技法によって実行してもよく、これらを交互にまたは纏めて適用することもできる。第１技法の下では、データ処理デバイス（１０、１１０、２１０または３１０）または状況管理部１４は、対応するユーザの所在地を示す所在地データに基づいて、特定の状況を判断する。第２技法の下では、データ処理デバイス（１０、１１０、２１０または３１０）または状況管理部１４は、ユーザのユーザ所在地データ、およびユーザと関連のある加工物の加工物所在地データとに基づいて、特定の状況を判断する。第３技法の下では、データ処理デバイス（１０、１１０、２１０または３１０）または状況管理部１４は、ユーザのユーザ識別子、およびユーザと関連のある加工物識別子を判定する。ユーザ識別子は、安全上の目的でユーザに割り当てることができ、データ処理デバイス（１０、１１０、２１０または３１０）またはその他の認証手段にログ・インするためのパスワードに関連させるとよい。第４技法の下では、データ処理デバイス（１０、１１０、２１０または３１０）または状況管理部１４は、ユーザの所在地と関連のある所在地データ、ユーザのユーザ識別子、およびユーザと関連のある加工物識別子を判定する。第５技法では、作業員検出システム４２が特定の作業所におけるユーザの存在を検出し、対応する作業書識別子に対して、ユーザの存在を示すステータス・メッセージを発生する。
【誤訳訂正１３】
【訂正対象書類名】明細書
【訂正対象項目名】００３４
【訂正方法】変更
【訂正の内容】
【００３４】
ステップＳ１０４は、集号的にまたは個々に適用することができる種々の手順にしたがって実行することができる。第１手順の下では、ディスプレイ２４またはディスプレイ・ユニット１２４は、準備完了状態でアプリケーション・プログラムを表示する。この状態では、アプリケーション・プログラムのナビゲートと一致して、限定数のタントまたは口頭コマンドを受け入れる準備ができている。第２手順の下では、表示した情報パッケージが、加工物識別子に関連する識別子の製造、組立、分解、調査、および検査の内少なくとも１つに関連する一連のタスクを表す。第３手順の下では、ステップＳ１０２において、判断した特定の状況が、ユーザと関連のある所在地データに基づく場合、ディスプレイ・ユニット１２４またはディスプレイ２４は、所在地データに基づいて情報パッケージを表示する。第４手順の下では、ステップＳ１０２において、判断した特定の状況が、ユーザの所在地データまたはユーザと関連のある加工物に基づく場合、ディスプレイ・ユニット１２４またはディスプレイ２４は、所在地データおよび加工物識別子に基づいて情報パッケージを表示する。第５手順の下では、判断した特定の状況が、ユーザのユーザ識別子およびユーザと関連のある加工物識別子に基づく場合、ディスプレイ・ユニット１２４またはディスプレイ２４は、ユーザ識別子および加工物識別子に基づいて情報パッケージに表示する。第６手順の下では、判定した所在地データがユーザ所在地、ユーザのユーザ識別子、およびユーザと関連のある加工物識別子と関連がある場合、ディスプレイ・ユニット１２４またはディスプレイ２４は、所在地データ、加工物識別子、およびユーザ識別子に基づいて、情報パッケージを表示する。
【誤訳訂正１４】
【訂正対象書類名】明細書
【訂正対象項目名】００３７
【訂正方法】変更
【訂正の内容】
【００３７】
ステップＳ１００において、携帯ディスプレイ（例えば、ディスプレイ２４またはディスプレイ・ユニット１２４）と関連するデータ処理デバイス（１０、１１０、２１０または３１０）をユーザに装備する。データ処理デバイス（１０、１１０、２１０または３１０）は、ベルト、防止、ヘッドセット、ストラップ、リュックサック等の上または中に装着することができる。いずれのディスプレイを用いてもよいが、一構成では、ディスプレイ２４またはディスプレイ・ユニット１２４を１対のめがねの１間以上のレンズ、ゴーグル、バイザ、またはヘッドセットの中に一体化するとよい。更に、データ処理デバイス（１０または１１０）またはディスプレイ・ユニット１２４をスピーカ３２（例えば、耳内スピーカ３２）およびマイクロフォン３０と関連させてもよい。
【誤訳訂正１５】
【訂正対象書類名】明細書
【訂正対象項目名】００３９
【訂正方法】変更
【訂正の内容】
【００３９】
ステップＳ１１２において、リーダ２６が、加工物３４あるいはユーザまたは作業所と関連のある加工物識別子を識別する。リーダ２６は、加工物３４に関連するタグ３６を読み取ってこれを識別することができる。一例では、リーダ２６は、加工物３４上にある光タグ（例えば、均一製品コードまたはバー・コード・ラベル）を読み取ることができる。別の例では、リーダ２６は、加工物３４に関連する無線周波数識別タグを読み取ることができる。
【誤訳訂正１６】
【訂正対象書類名】明細書
【訂正対象項目名】００４０
【訂正方法】変更
【訂正の内容】
【００４０】
ステップＳ１１４において、データ処理デバイス（１０、１１０、２１０または３１０）または状況管理部１４は、識別した加工物３４（例えば、加工物識別子）およびユーザの所在地データの内少なくとも１つに基づいて、情報をユーザに自動的に表示する。ディスプレイ２４または１９０は、ある種の表示モードで情報を表示することができ、これは、メニュー駆動型通信インターフェース１８、 Windows  系通信インターフェース１８、および／または音声ナビゲート可能ユーザ・インターフェースと両立する。
【誤訳訂正１７】
【訂正対象書類名】明細書
【訂正対象項目名】００４１
【訂正方法】変更
【訂正の内容】
【００４１】
表示する情報は、以下の内１つ以上で構成することができる。加工物識別子、加工物３４のステータスまたは状態、加工物３４の成分のステータスまたは状態、作業タスク識別子、およびタスク・データ。表示する情報またはタスク・データは、加工物に関連する構成要素を組み立てることに関する組立説明書を収容することもできる。作業タスク識別子は、とりわけ、分解、調査、診断、または修理に関すればよい。状況データとは、以下の内の２つ以上の組み合わせを言う。作業タスク識別子、ユーザ所在地データ、作業所識別子、ユーザ識別子、デバイス識別子、および加工物識別子。
【誤訳訂正１８】
【訂正対象書類名】明細書
【訂正対象項目名】００４４
【訂正方法】変更
【訂正の内容】
【００４４】
タグ３６がツールまたはパーツに結び付けられている場合（例えば、無線周波数識別タグ、バー・コード・タグ、または光タグ）、データ処理デバイス１０は、特定のタスクの実行に関連するツールおよびパーツのチェックリストを検証することができる。
【誤訳訂正１９】
【訂正対象書類名】明細書
【訂正対象項目名】００４８
【訂正方法】変更
【訂正の内容】
【００４８】
図８において、第１所在地データおよび第２所在地データを、図７と矛盾なく定義する。更に、第１加工物には第１加工物識別子を関連させ、第２加工物には第２加工物識別子を関連させる。第１加工物識別子および第２加工物識別子は、第１加工物および第２加工物が同じパーツ、構成要素、製品または商品を表す場合、潜在的に同一であることもあり得るが、在庫検証、製品のリコール、欠陥製品の返品、製造の変更、サービス変更注文、またはその他の必要性の場合に、第１加工物を第２加工物から一意に区別するコードまたは連番を第１加工物識別子および第２加工物識別子に組み込んでおくと有利となる場合もある。